(57)【要約】【課題】ネジ等の脱落可能性のある部品を一切使用せずに着脱可能な眼鏡レンズとアイガード用フレームとから成るアイガードを提供する。【解決手段】 所定の間隔で対向する前向きの第１固定ピンと後向きの第２固定ピンとからなるレンズ固定部を少なくとも一対備えることを特徴とするアイガード用フレームのブリッジ部材と、ブリッジ部材のレンズ固定部に着脱可能な眼鏡レンズであって、ブリッジ側の片面には前記第１固定ピンが嵌合可能な第１固定孔とブリッジ側端から前記第１固定孔に渡る溝部とを備え、ブリッジ側の反対面には前記第２固定ピンが嵌合可能な第２固定孔を備えることを特徴とする眼鏡レンズと、アイガード用フレームとから成るアイガード。【選択図】  図６
2018097345.tif 000002
【特許請求の範囲】
【請求項１】
所定の間隔で対向する前向きの第１固定ピンと後向きの第２固定ピンとからなるレンズ固定部を少なくとも一対備えることを特徴とする、ブリッジ部材。
【請求項２】
請求項１に記載のブリッジ部材のレンズ固定部に着脱可能な眼鏡レンズであって、ブリッジ側の片面には前記第１固定ピンが嵌合可能な第１固定孔とブリッジ側端から前記第１固定孔に渡る溝部とを備え、ブリッジ側の反対面には前記第２固定ピンが嵌合可能な第２固定孔を備えることを特徴とする、眼鏡レンズ。
【請求項３】
請求項１に記載のブリッジ部材を備えることを特徴とする、アイガード用フレーム。
【請求項４】
請求項１に記載のブリッジ部材を備えることを特徴とする、眼鏡。
【発明の詳細な説明】
【技術分野】
【０００１】
本発明は、医療従事者等が使用する、顔面の上部を覆うアイガードの技術に関する。
【背景技術】
【０００２】
医師や看護師等の医療従事者は、手術等の際に顔面の下部にマスクを着用し、患者の血液や体液等の飛散から眼部を保護する必要がある場合には、マスクの上側に顔面の上部を覆うアイガードを装用する。アイガードは、装用者の両眼を覆う透明樹脂シールドを略コの字型のフレームに透明なシールドを装着し、マスクの上から眼鏡のように頭部に装用するものが普及している。
【０００３】
医療現場では、患者から医療従事者への感染予防対策としてマスクやアイガードの装用が重要とされ、マスクやアイガードは一般的に都度新しいものを使用し、使用後は廃棄される。特にアイガードの場合、シールドは一回限りのディスポーザブルであり、フレームは消毒して複数回使用される場合が多い。しかし、手術等一刻を争う多忙な医療現場では、フレームへのシールドの着脱の手間は医療従事者にとって余計な負担となり、シールドの曇りや汚れは視界を低下させる。特にマスクに装着するタイプは、シールドの一部が顔面に触れるため装用者にとって圧迫感が強いだけでなく、位置ズレが生じ易く曇りや汚れも付き易いという問題があった。
【０００４】
かかる問題を踏まえ、本願発明者は、フレーム（以下、単に「フレーム」と記す。）に単一枚を着脱可能に取り付けて装用者の顔面の上部を覆う弾性を有する透明樹脂板の左右両端上縁寄りの左右対称の位置に、それぞれ２つの貫通孔と両貫通孔に跨るスリットとを設けたことを特徴とするシールド（以下、単に「シールド」と記す。）と、弾性を有する棒状体を装用者の頭部に固定可能な略コの字型に形成してなり、装用者の両こめかみの位置においてそれぞれ前記２つの貫通孔とスリットに嵌合する内側向きの湾曲部を設けたことを特徴とするフレームとからなるアイガードを開発して特許第５９７０１４５号を取得しており、すでに商品化されて医療機関等において使用されている。
【特許文献１】特許第５９７０１４５号公報
【０００５】
前記特許発明に係るアイガードは、フレームへのシールドの着脱を効率良く、かつシールドの表面を汚さずに行うことができるため、多忙な医療現場でのアイガード使用の徹底が促進され、医療従事者と医療行為の安全性の向上に貢献している。一方、度付眼鏡を使用する医師にとっては、眼鏡の上にアイガードを二重に装用することが煩雑であるだけでなく、万一眼鏡の小さなネジが施術部位に落下混入した場合、重大な医療事故に繋がるおそれがある。アイガードのフレームに直接眼鏡レンズのみを装着可能とすれば二重装用の煩雑さは解消できるが、眼鏡レンズの着脱機構は、やはり落下混入のおそれのあるネジ等の部品を一切使用しない構造でなければならない。
【０００６】
また、手術室等では患者の施術部位に影を生じないよう照らすために無影灯が用いられているが、無影灯は極めて光量が大きいため医師の眼には多大な負担が掛かっている。さらに、レーザーメスを使用する手術ではレーザー光が眼に入る危険性もあるため、医師は有害な光から眼を保護するための保護眼鏡を装用する場合も多い。アイガードのシールド自体は極めて薄く、また防曇性が必要とされるため、さらに遮光フィルタを加工することは困難であるが、アイガードのフレームに装着する眼鏡レンズに遮光性を具備させることは可能である。
【発明の開示】
【発明が解決しようとする課題】
【０００７】
本願発明は、ネジ等の脱落可能性のある部品を一切使用せずに眼鏡レンズや遮光レンズを着脱可能なアイガード用フレームを提供することを課題とする。
【課題を解決するための手段】
【０００８】
上記課題の解決のために、請求項１に記載した発明は、アイガード用フレームのブリッジ部材であって、所定の間隔で対向する前向きの第１固定ピンと後向きの第２固定ピンとからなるレンズ固定部を少なくとも一対備えることを特徴とする。
【０００９】
また、請求項２に記載した眼鏡レンズは、請求項１に記載のブリッジ部材のレンズ固定部に着脱可能な眼鏡レンズであって、ブリッジ側の片面には前記第１固定ピンが嵌合可能な第１固定孔とブリッジ側端から前記第１固定孔に渡る溝部とを備え、ブリッジ側の反対面には前記第２固定ピンが嵌合可能な第２固定孔を備えることを特徴とする。
【００１０】
また、請求項３に記載したアイガード用フレームは、請求項１に記載のブリッジ部材を備えることを特徴とし、請求項４に記載した眼鏡は、請求項１に記載のブリッジ部材を備えることを特徴とする。
【発明の効果】
【００１１】
本願発明の請求項１に係るブリッジ部材を備えるアイガード用フレームを用いれば、手術中に眼鏡のネジ等が脱落して施術部位に落下混入するといった医療事故のおそれを皆無とできる。
【発明を実施するための最良の形態】
【００１２】
図１は、フレーム１０にシールド２を装着したアイガード１の一例を示す斜視図である。図２は、本願発明の請求項１に記載したブリッジ部材４の、図３及び４は、請求項２に記載した眼鏡レンズ５の一実施形態を示す斜視図である。また、図５は、該ブリッジ部材４をアイガード用フレーム１０に取り付けた状態を示す斜視図である。
【００１３】
ブリッジ部材４は、図２に示す如く、略コの字型の棒材の２本の脚部４１の先端を屈曲させて鼻パッド４３を着脱可能なクリングスアーム４２としたブリッジ部４０の屈曲部２か所に、棒材の両端を鍵型に屈曲させて両方の先端を前向きの２つの第１固定ピン４５とした内側桁材４４と、棒材の両端を略Ｌ字型に屈曲させて両方の先端を後ろ向きの２つの第２固定ピン４７とした外側桁材４６とを並べて溶接等の方法で取り付けてなる。また、ブリッジ部材４は、図５に示す如くフレーム１０に溶接等の方法で取り付ける。
【００１４】
第１固定ピン４５と第２固定ピン４７とは間隔ｄを空けて互いに対向しており、それぞれ両固定ピンからなる一対のレンズ固定部４８を形成する。間隔ｄの長さは任意であるが、３ｍｍ乃至４ｍｍ程度が好適である。脚部４１、内側桁材４４、外側桁材４６の素材は外力変形への復元性を有するものとし、フレーム１０の素材をβチタンとする場合には同じβチタンが好適である。なお、第１固定ピン４５、第２固定ピン４７の長さは、それぞれ後述の第１固定孔５１、第２固定孔５３の位置における眼鏡レンズ５の厚み以下とする。
【００１５】
眼鏡レンズ５は、図３及び図４に示す如く、レンズ本体５０のブリッジ側の裏面には第１固定ピン４５が嵌合可能な第１固定孔５１と、ブリッジ側端から第１固定孔５１に渡る直線の溝部５２とを設け、表面には第２固定ピン４７が嵌合可能な第２固定孔５３とを設けている。第１固定孔５１と第２固定孔５３は貫通孔・盲管孔のいずれでもよいが、第１固定ピン４５、第２固定ピン４７がそれぞれ貫入した際にその先端がレンズ本体５０の反対面に突出しないものとする。また、左右のレンズ本体５０のブリッジ側の断面には、溝部５２の位置に第１断面凹部５４、クリングスアーム４２に当接する位置に第２断面凹部５５を設けており、眼鏡レンズ５の装着時には、第１断面凹部５４には内側桁材４４が、第２断面凹部５５にはクリングスアーム４２がそれぞれ嵌合する。
【００１６】
図６は、ブリッジ部材４への眼鏡レンズ５の装着状態を示す拡大図であり、図７は、眼鏡レンズ５を着脱する際の状態を示す拡大図である。ブリッジ部材４への眼鏡レンズ５の取り付けは次のように行える。
（１）まず、両鼻パッド４３を指で挟んで図中の矢印Ａの如く内側に力を加え、左右のクリングスアーム４２を内側に曲げる。これにより内側桁材４４の両端が後方に湾曲し、図中の矢印Ｂの如く第１固定ピン４５が後方に移動して第２固定ピン４７との間隔が生じる。レンズ本体５０の厚みが通過するまでこの間隔を拡げる。
（２）レンズ本体５０のブリッジ側をこの間隔に差し入れ、第２固定孔５３に第２固定ピン４７を挿入するとともに、第１固定ピン４５を溝部５２に当接させる。
（３）この状態で両鼻パッド４３に加えた力を緩めると、曲げられたクリングスアーム４２及び内側桁材４４が弾性反撥力により元の形状に復帰する。この際、第１固定ピン４５は溝部５２に沿ってレンズ本体５０の中心方向に滑り、第１固定孔５１に落ち込んで停止する。これにより、レンズ本体５０は第１固定ピン４５、第２固定ピン４７によって所定の位置に固定される。レンズ本体５０は内側桁材４４と外側桁材４６とに挟まれる形となるため前後方向のズレが防がれ、溝部５２に内側桁材４４が嵌合しているため上下方向のズレも防がれる。さらに、内側桁材４４の鍵部のブリッジ側がレンズ本体５０の第１断面凹部５４に嵌合しているため、左右方向のズレも防がれる。
【００１７】
取外しの際は、（１）取付けの際と同様に両鼻パッド４３を指で挟んで力を加え、第１固定ピン４５が第１固定孔５１から抜け出すまで内側桁材４４の両端を後方に湾曲させる。（２）その状態を維持したまま、第２固定ピン４７を第２固定孔５３から抜去し、レンズ本体５０を取り外す。（３）その後、両鼻パッド４３に加えた力を緩めると、曲げられたクリングスアーム４２及び内側桁材４４が弾性反撥力により元の形状に復帰する。
【００１８】
以上のとおり、ブリッジ部材４を適用することにより、ネジ等の独立した（分離可能な故に脱落のおそれのある）固定部材を一切使用することなく眼鏡レンズを着脱可能なフレームが実現できる。
【００１９】
以上、本発明に係るアイガード用フレームのブリッジ部材、眼鏡レンズ、アイガード用フレーム、眼鏡の具体的な構成について説明したが、本発明は上記実施形態に限定されるものではなく、本発明の技術的思想の範囲内において改良または改変が可能であり、それらは本発明の技術的範囲に属するものである。
【産業上の利用可能性】
【００２０】
本発明は、主に医療従事者が医療現場で使用するアイガードへの適用を想定したものであるが、本発明に係るブリッジ部材を追加したアイガードは、度付眼鏡とアイガードとの二重装着の煩雑さの解消や、無影灯の光やレーザーメスのレーザー光から医師等の眼を保護する遮光レンズのアイガードへの装着を可能とするだけでなく、ネジ等の部品を一切使用せずにフレームに眼鏡レンズを装着できるという構造的利点を有することから、医療用、スポーツ用等はもとより、従来の眼鏡全般に利用可能である。
【図面の簡単な説明】
【００２１】
【図１】アイガードの一例を示す斜視図
【図２】実施形態に係るブリッジ部材の斜視図
【図３】アイガード用フレームにブリッジ部材を取り付けた状態を示す斜視図
【図４】実施形態に係る眼鏡レンズの斜視図
【図５】実施形態に係る眼鏡レンズのブリッジ側の拡大図
【図６】実施形態に係るブリッジ部材への眼鏡レンズの装着状態を示す斜視図
【図７】ブリッジ部材に眼鏡レンズを着脱する状態を示す斜視図
【符号の説明】
【００２２】
ｄ    第１固定ピンと第２固定ピンの間隔
１    アイガード
１０  フレーム
１１  テンプル部
１２  シールド装着部
１３  マウント部
１４  フック部
１５  ヘッド部
２    シールド
４    ブリッジ部材
４０  ブリッジ部
４１  脚部
４２  クリングスアーム
４３  鼻パッド
４４  内側桁材
４５  第１固定ピン
４６  外側桁材
４７  第２固定ピン
４８  レンズ固定部
５    眼鏡レンズ
５０  レンズ本体
５１  第１固定孔
５２  溝部
５３  第２固定孔
５４  第１断面凹部
５５  第２断面凹部
【図１】
2018097345.tif 000003
【図２】
2018097345.tif 000004
【図３】
2018097345.tif 000005
【図４】
2018097345.tif 000006
【図５】
2018097345.tif 000007
【図６】
2018097345.tif 000008
【図７】
2018097345.tif 000009